(57)【要約】【課題】複数種類の間接活線工具を使用せずに取り付けおよび取り外しを行うことができ、かつ不用意に開いてしまうことのない架空配電線用絶縁カバーを提供する。【解決手段】架空配電線用絶縁カバー１は、内径部２１に配電線の非絶縁部が収容可能とされ、両端面２２と周側面２３の軸方向とに沿うように内径部２１への出入り口となるスリット２４が設けられた内側カバー２と、内径部３１に内側カバー２が収容可能とされ、両端面３２と周側面３３の軸方向とに沿うように内径部３１への出入り口となるスリット３４が設けられた外側カバー３とを備える。外側カバー３に収容された内側カバー２配電線の外周に装着し、外側カバー３を内側カバー２の周りで回転することで、スリット２４、３４を閉じる。【選択図】図２
2018085816.tif 000002
【特許請求の範囲】
【請求項１】
架空配電線の非絶縁部の外周に装着される架空配電線用絶縁カバーであって、
略円筒形状で、内径部に前記非絶縁部が収容可能とされ、両端面と、周側面の軸方向とに沿うように前記内径部への出入り口となるスリットが設けられた内側カバーと、
略円筒形状で、内径部に前記内側カバーが収容可能とされ、両端面と周側面の軸方向とに沿うように前記内径部への出入り口となるスリットが設けられた外側カバーと、を備え、
前記外側カバーに収容された前記内側カバーは、前記スリットを通して前記内径部に前記非絶縁部が収容されるように前記架空配電線の外周に装着され、
前記外側カバーは、前記内側カバーの周りで回転されて前記内側カバーのスリットを閉じ、前記外側カバーのスリットは、前記内側カバーによって閉じられる、
ことを特徴とする架空配電線用絶縁カバー。
【請求項２】
前記内側カバーおよび前記外側カバーのスリットが閉じられた回転位置で、前記外側カバーの回転をロックするロック手段を備える、
ことを特徴とする請求項１に記載の架空配電線用絶縁カバー。
【請求項３】
前記外側カバーの周側面に、前記外側カバーを回転させる際に操作される操作部を備える、
ことを特徴とする請求項１または２に記載の架空配電線用絶縁カバー。
【請求項４】
前記内側カバーの少なくとも一方の端面に、前記外側カバーを回転させる際に前記架空配電線とともに挟持される挟持部を備える、
ことを特徴とする請求項１から３のいずれか１項に記載の架空配電線用絶縁カバー。
【発明の詳細な説明】
【技術分野】
【０００１】
本発明は、架空配電線の非絶縁部の外周に装着される架空配電線用絶縁カバーに関するものである。
【背景技術】
【０００２】
架空配電線（以下、配電線という）同士の接続部や、短絡接地器具を取り付けるために絶縁被覆が除去された導体露出部などの非絶縁部に対し、間接活線工具を用いて架空配電線用絶縁カバー（以下、絶縁カバーという）を取り付け、または取り外しする作業が従来から行われている。この絶縁カバーは、例えば、弾性ヒンジを介して開閉自在にされた一対のカバー部材からなり、これらのカバー部材により架空配電線の非絶縁部を挟み込み、各カバー部材の端縁にそれぞれ設けられた雄型ホックと雌型ホックとを係合させて開かないようにしている。
【０００３】
絶縁カバーの取り付けには、絶縁操作棒（ホットスティックともいう）の先端部に取り付けられたカバー押さえ器と、絶縁ヤットコとが使用される（例えば、特許文献１参照）。カバー押さえ器は、帯状の金属板を逆Ｕ字状に折り曲げたものであり、このカバー押さえ器で一対のカバー部材を挟み込んで閉じた状態に押さえておき、その間に絶縁ヤットコで雄型ホックと雌型ホックとを係合させている。また、絶縁カバーの取り外しには、例えば、絶縁操作棒の先端に取り付けられたフック状のバインド打ち器と、絶縁ヤットコとが使用される。絶縁カバーは、バインド打ち器が隙間に差し込まれ、雄型ホックと雌型ホックとが外れるようにこじ開けられる。開いた絶縁カバーは、絶縁ヤットコによって配電線から除去される。
【先行技術文献】
【特許文献】
【０００４】
【特許文献１】特開２０１０−００４６５７号公報
【発明の概要】
【発明が解決しようとする課題】
【０００５】
上述したように、絶縁カバーの取り付けおよび取り外しには複数種類の間接活線工具が必要となるので、作業の準備に時間がかかってしまう。また、間接活線工具は、一般的な工具に比べて大きく重量も重いので、作業現場まで運ぶ作業者の負担になっていた。さらに、絶縁カバーの取り付けおよび取り外し作業では、複数種類の間接活線工具を持ち替えて操作しなければならないので作業が煩雑であった。
【０００６】
また、従来のホック式の絶縁カバーは、経年劣化によってホックが破損して係合が外れ、開いてしまうことがあった。さらに、配電線は、配電線同士の接続時や、短絡接地器具の接続によって曲がってしまうことがあるが、このような曲がっている部分に絶縁カバーを無理に取り付けると、ホックに負荷がかかって絶縁カバーが開いてしまうことがあった。
【０００７】
本発明は、上記課題を解決するために、複数種類の間接活線工具を使用せずに取り付けおよび取り外しを行うことができ、かつ不用意に開いてしまうことのない架空配電線用絶縁カバーを提供することを目的とする。
【課題を解決するための手段】
【０００８】
上記課題を解決するために、請求項１に記載の発明は、架空配電線の非絶縁部の外周に装着される架空配電線用絶縁カバーであって、略円筒形状で、内径部に前記非絶縁部が収容可能とされ、両端面と、周側面の軸方向とに沿うように前記内径部への出入り口となるスリットが設けられた内側カバーと、略円筒形状で、内径部に前記内側カバーが収容可能とされ、両端面と周側面の軸方向とに沿うように前記内径部への出入り口となるスリットが設けられた外側カバーと、を備え、前記内側カバーは、前記外側カバーに収容された状態で、前記スリットを通して前記内径部に前記非絶縁部が収容されるように前記架空配電線の外周に装着され、前記外側カバーは、前記内側カバーの周りで回転されて前記内側カバーのスリットを閉じ、前記外側カバーのスリットは前記内側カバーの周側面によって閉じられる、ことを特徴とする架空配電線用絶縁カバーである。
【０００９】
請求項１に記載の発明によれば、架空配電線用絶縁カバーは、略円筒形状の内側カバーと、この内側カバーの外側に装着される略円筒形状の外側カバーとからなる。内側カバーは、外側カバーに収容された状態で、周側面に設けられたスリットを通して内径部に非絶縁部が収容されるように架空配電線に装着される。次いで、外側カバーが内側カバーの周りで回転されることにより、内側カバーのスリットは外側カバーの内径部によって閉じられ、外側カバーのスリットは内側カバーの周側面によって閉じられる。
【００１０】
請求項２に記載の発明は、請求項１に記載の架空配電線用絶縁カバーにおいて、前記内側カバーおよび前記外側カバーのスリットが閉じられた回転位置で、前記外側カバーの回転をロックするロック手段を備える、ことを特徴とする。
【００１１】
請求項３に記載の発明は、請求項１または２に記載の架空配電線用絶縁カバーにおいて、前記外側カバーの周側面に、前記外側カバーを回転させる際に操作される操作部を備える、ことを特徴とする。
【００１２】
請求項４に記載の発明は、請求項１から３のいずれか１項に記載の架空配電線用絶縁カバーにおいて、前記内側カバーの少なくとも一方の端面に、前記外側カバーを回転させる際に前記架空配電線とともに挟持される挟持部を備える、ことを特徴とする。
【発明の効果】
【００１３】
請求項１に記載の発明によれば、外側カバーに収容された内側カバーを架空配電線の外周に装着して、外側カバーを内側カバーの周りで回転させる際に、従来のカバー押さえ器のような特殊な工具を必要とせず、例えば、外側カバーが挟持可能な絶縁ヤットコだけで作業を行うことが可能となる。したがって、工具の準備や作業現場までの持ち運びが簡単になり、作業者の負担が小さくなる。また、絶縁ヤットコしか使用しないので、複数種類の間接活線工具の持ち替えや操作が不要になり、従来の煩雑な作業が解消される。さらに、絶縁カバーは、外側カバーを内側カバーの周りで回転させるだけで開閉する構造、すなわちカバー全体を利用して開閉する構造であるため、経年劣化や配電線の押圧による不用意な開放を防ぐことが可能となる。
【００１４】
請求項２に記載の発明によれば、内側カバーおよび外側カバーのスリットが閉じられた回転位置で外側カバーの回転をロックすることができるので、風や振動などで外側カバーが不用意に回転して絶縁カバーが開いてしまうのを防止することが可能である。
【００１５】
請求項３に記載の発明によれば、外側カバーの周側面に、外側カバーを回転させる際に操作される操作部を設けたので、絶縁ヤットコでも簡単に外側カバーを回転させることが可能である。
【００１６】
請求項４に記載の発明によれば、内側カバーの少なくとも一方の端面に、外側カバーを回転させる際に架空配電線とともに挟持される挟持部を設けたので、内側カバーが外側カバーと一緒に回転してしまうのを防ぎ、効率よく絶縁カバーの取り付けおよび取り外しを行うことが可能である。
【図面の簡単な説明】
【００１７】
【図１】この発明の実施の形態１に係る架空配電線用絶縁カバーの外観斜視図である。
【図２】図１の架空配電線用絶縁カバーの構成を示す分解斜視図である。
【図３】図１の内側カバーの軸方向の断面図である。
【図４】図１の内側カバーのＡ−Ａ断面図である。
【図５】図１の外側カバーの軸方向の断面図である。
【図６】図１の外側カバーのＢ−Ｂ断面図である。
【図７】図１の絶縁カバーの取り付けおよび取り外しに使用される絶縁ヤットコの側面図である。
【図８】図１の絶縁カバーを架空配電線に装着した状態を示す断面図である。
【図９】図１の外側カバーを内側カバーの周りで回転させている状態を示す断面図である。
【図１０】図１の架空配電線用絶縁カバーが閉じられた状態を示す断面図である。
【図１１】図１の架空配電線用絶縁カバーが閉じられた状態を示す斜視図である。
【図１２】この発明の実施の形態２に係る架空配電線用絶縁カバーが架空配電線に装着された状態（Ａ）および外側カバーが回転されている状態（Ｂ）を示す断面図である。
【発明を実施するための形態】
【００１８】
以下、この発明を図示の実施の形態に基づいて説明する。
【００１９】
（実施の形態１）
図１〜図１１は、この実施の形態を示し、図１は、この実施の形態に係る架空配電線用絶縁カバー（以下、絶縁カバーという）１を示す外観斜視図であり、図２は、絶縁カバー１の構成を示す分解斜視図である。また、図３〜図６は、絶縁カバー１を構成する内側カバー２および外側カバー３の軸方向と、軸方向に直交するＡ−Ａ断面図およびＢ−Ｂ断面図である。
【００２０】
絶縁カバー１は、架空配電線（以下、配電線という）４の導体露出部（非絶縁部）４１を絶縁するためのカバーであり、内側カバー２と、内側カバー２の外側に装着された外側カバー３とから構成されている。導体露出部４１は、例えば、短絡接地器具を接続するために配電線４の絶縁被覆が除去された部分であり、絶縁被覆の分だけ配電線４よりも径が細くなっている。
【００２１】
内側カバー２は、絶縁性を有するプラスチックで略円筒形状に形成されている。内側カバー２は、導体露出部４１が収容可能な内径部２１と、両側の端面２２と周側面２３の軸方向とに沿うように設けられたスリット２４とを備える。内径部２１は、真っ直ぐな状態の導体露出部４１だけでなく、多少曲がった状態の導体露出部４１を収容する場合を考慮して、配電線４の外径よりも大きな内径とされている。
【００２２】
スリット２４は、内径部２１に対する配電線４の出入り口であり、両端面２２の中央から端縁まで設けられたアーチ状の切欠と、このアーチ状の切欠に連なるように周側面２３に軸方向に沿って設けられた溝状の切欠とから構成されている。スリット２４は、真っ直ぐな状態の導体露出部４１だけでなく、多少曲がった状態の導体露出部４１を収容する場合を考慮して、配電線４の外径よりも大きな幅で形成されている。
【００２３】
内側カバー２の周側面２３の両端部には、周方向に沿って複数の爪２５ａが配列された回転規制部（ロック手段）２５が設けられている。爪２５ａは、図４に示すように、周側面２３に対して略垂直な面と、この垂直な面から周側面２３の反時計方向へと向かう斜面とを備えた略直角三角形であり、内側カバー２の外側に装着された外側カバー３の時計方向への回転を許容し、反時計方向への回転を阻止する。
【００２４】
内側カバー２の両端面２２には、軸方向に沿って外側に突出された半円筒形状の挟持部２６が設けられている。この挟持部２６の内径部は、スリット２４を構成するアーチ状の切欠と面一に設けられている。挟持部２６は、外側カバー３を内側カバー２の周りで回転させる際に、内側カバー２が外側カバー３と一緒に回転するのを阻止するために絶縁ヤットコで挟持される。
【００２５】
外側カバー３は、絶縁性および柔軟性を有するプラスチックで略円筒形状に形成されている。外側カバー３は、内側カバー２が収容可能な内径部３１と、両端面３２と周側面３３の軸方向とに沿うように設けられたスリット３４とを備える。内径部３１は、内側カバー２が収容可能で、さらに内側カバー２の外周でスムーズに回転可能な大きさとされている。
【００２６】
スリット３４は、内径部３１に対する配電線４の出入り口であり、両端面３２の中央から端縁まで設けられたアーチ状の切欠と、このアーチ状の切欠に連なるように周側面３３に軸方向に沿って設けられた溝状の切欠とから構成されている。スリット３４の幅は、内側カバー２の外径よりも狭いが、外側カバー３全体が柔軟性を有するプラスチックで形成されているので、スリット３４を変形させて内側カバー２の外側に装着可能となっている。
【００２７】
外側カバー３の内径部３１の両端側には、周方向に沿って複数の爪３５ａが配列された回転規制部（ロック手段）３５が設けられている。爪３５ａは、図６に示すように、内径面に対して略垂直な面と、この垂直な面から内径面の時計方向へと向かう斜面とを備えた略直角三角形であり、内側カバー２の回転規制部３５と噛合することで、外側カバー３の時計方向への回転を許容し、反時計方向への回転を阻止する。回転規制部２５、３５は、いわゆる１方向への回転のみを許容するラチェット機構であり、本発明のロック手段を構成している。
【００２８】
外側カバー３の周側面２３の両端側には、略水平方向に突出された４つの操作部３６が設けられている。操作部３６は、同形状をした矩形の板状部材であり、内側カバー２および外側カバー３を配電線４に装着する際、さらには外側カバー３を内側カバー２の周りで回転させる際に絶縁ヤットコによって挟持される。
【００２９】
図７は、絶縁カバー１の取り付けおよび取り外しに使用される絶縁ヤットコ（間接活線工具）５を示す。絶縁ヤットコ５は、通電状態のままで作業を行う間接活線工法で用いられる工具、つまり、配電線４などに作業者が直接接することなく作業を行うための間接活線工具の一種である。
【００３０】
絶縁ヤットコ５は、棒状の工具本体５１と、工具本体５１の先端側に設けられた把持部５２と、工具本体５１の手元側となる後端側に設けれた操作部５３とを備える。工具本体５１は、絶縁性を有する材質で棒状に形成されており、先端部には金属製の支持部５１１が取り付けられている。支持部５１１の上部には、把持部５２を構成する可動アーム５２１、５２２が支持されている。可動アーム５２１は、支持ピン５２３を介して支持部５１１に揺動可能に支持されており、その後端側は、工具本体５１と略平行に配された操作ロッド５３１の上端部に連結されている。
【００３１】
操作部５３は、上述した操作ロッド５３１と、この操作ロッド５３１と接続され、工具本体５１に回動自在に支持された操作レバー５３２とからなる。操作レバー５３２を握るように操作すると、それに連動して操作ロッド５３１が工具本体５１の手元側に移動し、操作ロッド５３１により牽引された可動アーム５２１が支持ピン５２３を中心に回動して把持部５２が閉じられる。これとは逆に、操作レバー５３２を工具本体５１から離れるように回動させると、それに連動して操作ロッド５３１が工具本体５１の先端側に移動し、操作ロッド５３１により押された可動アーム５２１が支持ピン５２３を中心に回動して把持部５２が開く。
【００３２】
次に、このような構成の絶縁カバー１を取り付ける作業について、図８〜図１１に基づいて説明する。
【００３３】
まず、絶縁ヤットコ５で内側カバー２を収容した外側カバー３の操作部３６を挟持し、配電線４の近傍まで移動させ、図８に示すように、導体露出部４１がスリット２４およびスリット３４を通って内側カバー２の内径部２１に収容されるように絶縁ヤットコ５を操作する。
【００３４】
次いで、２本の絶縁ヤットコ５を使用して外側カバー３を回転させる。具体的には、図９に示すように、一方の絶縁ヤットコ５で配電線４と内側カバー２の挟持部２６とを挟み込み、内側カバー２の回り止めを行う。次いで、もう一方の絶縁ヤットコ５で外側カバー３の操作部３６を挟み込み、外側カバー３を図中時計方向に略１８０度回転させる。これにより、図１０および図１１に示すように、下方を向いていた外側カバー３のスリット３４が上方を向くので、内側カバー２のスリット２４は外側カバー３の内径部３１によって閉じられ、外側カバー３スリット３４は内側カバー２の周側面２３によって閉じられる。
【００３５】
また、詳しくは図示しないが、絶縁カバー１を配電線４から取り外す際には、取り付け時と同様に、一方の絶縁ヤットコ５で配電線４と挟持部２６とを挟み込んで内側カバー２の回り止めを行い、もう一方の絶縁ヤットコ５で外側カバー３の操作部３６を挟み込み、図中時計方向に回転させる。これにより、上方を向いていた外側カバー３のスリット３４が下方を向き、内側カバー２のスリット２４に重なるので、スリット２４、３４を通して絶縁カバー１を配電線４から取り外すことができる。なお、内側カバー２と外側カバー３との隙間から雨水などが進入するが、通常の絶縁カバーではそれほどの密閉性は求められないので、絶縁カバーとしての機能上の問題はない。
【００３６】
以上のように、実施の形態１の絶縁カバー１によれば、絶縁カバー１を配電線４の外周に装着して外側カバー３を内側カバー２の周りで回転させる際に、従来のカバー押させ器のような特殊な工具を必要とせず、絶縁ヤットコ５だけで作業を行うことが可能となる。したがって、工具の準備や作業現場までの持ち運びが簡単になり、作業者の負担が小さくなる。また、絶縁ヤットコ５しか使用しないので、複数種類の間接活線工具の持ち替えや操作が不要になり、従来の煩雑な作業が解消される。さらに、絶縁カバー１は、外側カバー３を内側カバー２の周りで回転させるだけで開閉する構造、すなわちカバー全体を利用して開閉する構造であるため、経年劣化や配電線の押圧による不用意な開放を防ぐことが可能となる。
【００３７】
また、回転規制部２５、３５により、内側カバー２および外側カバー３のスリット２４、３４が閉じられた回転位置で外側カバー３の回転をロックすることができるので、風や振動などで外側カバー３が不用意に回転して絶縁カバー１が開いてしまうのを防止することが可能である。
【００３８】
さらに、外側カバー３の周側面３３に、外側カバー３を回転させる際に操作される操作部３６を設けたので、絶縁ヤットコ５でも簡単に外側カバー３を回転させることが可能である。また、内側カバー２の少なくとも一方の端面２２に、外側カバー３を回転させる際に配電線４とともに挟持される挟持部２６を設けたので、内側カバー２が外側カバー３と一緒に回転してしまうのを防ぎ、効率よく絶縁カバー１の取り付けおよび取り外しを行うことが可能である。
【００３９】
（実施の形態２）
図１２（Ａ）、（Ｂ）は、この実施の形態に係る絶縁カバーの断面図である。この実施の形態は、外側カバーを回転させる際に操作される操作部をロック手段として利用し、外側カバーの両方向への回転をロックしている点で、実施の形態１と構成が異なり、実施の形態１と同等の構成については、同一符号を付することでその説明を省略する。
【００４０】
絶縁カバー１Ａは、内側カバー２Ａと、この内側カバー２Ａの外側に装着される外側カバー３Ａとから構成されている。外側カバー３Ａの周側面３３には、外側カバー３Ａを回転させる際に操作される操作部３６Ａが設けられている。操作部３６Ａは、外側カバー３Ａの周側面３３に設けられた略箱形状のガイド部３３１内にスライド自在に収納されている。操作部３６Ａの鋭角にされた先端部３６Ｂは、ガイド部３３１内に組み込まれたバネ３３２により不正され、周側面３３に形成された開口３３３を通して内径部３１内に挿入されている。
【００４１】
内側カバー２Ａの回転規制部２５Ａの歯は、操作部３６Ａの先端部３６Ｂと噛合する山型形状とされているので、バネ３３２により付勢された先端部３６Ｂが噛合することにより、外側カバー３Ａの両方向への回転がロックされる。
【００４２】
外側カバー３Ａを内側カバー２Ａの周りで回転させる場合には、同図（Ｂ）に示すように、絶縁ヤットコ５で操作部３６Ａをバネ３３２の付勢に抗して引っ張り、先端部３６Ｂと回転規制部２５Ａとの噛合を解除する。そして、噛合が解除された状態を維持したまま絶縁ヤットコ５を操作し、外側カバー３を回転させる。
【００４３】
以上のように、実施の形態２の絶縁カバー１Ａによれば、外側カバー３Ａの両方向への回転がロックされるので、反時計方向への回転のみをロックするようにした実施の形態１に比べて、より確実に絶縁カバー１Ａが不用意に開いてしまうのを防止することが可能となる。また、操作部３６Ａを利用して回転ロックを行うようにしたので、外側カバー３Ａの回転ロックの解除と、回転操作とを連続的に行うことができ、絶縁カバー１Ａの取り付けおよび取り外し作業が効率よく行えるようになる。
【００４４】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、回転規制部２５、３５により時計方向への回転のみを許容するようにしたが、爪２５ａ、３５ａの形状を変更して両方向へ回転できるようにしてもよい。また、実施の形態２では、操作部３６Ａを操作して回転ロックおよびロック解除を行うようにしたが、例えば、外側カバー３に内径方向に向けてバネ付勢された突部を設け、外側カバー３がスリット２４、３４の閉じられる位置まで回転されたときに、外側カバー３の突部が内側カバー２の周側面２３に設けられた係合孔に係合するようにしてもよい。また、突部を内側カバー２に設けて、係合孔を外側カバー３に設けて、同様の手法で回転ロックするようにしてもよい。
【符号の説明】
【００４５】
１          架空配電線用絶縁カバー
２          内側カバー
２１        内径部
２２        端面
２３        周側面
２４        スリット
２５        回転規制部（ロック手段）
２６        挟持部
３          外側カバー
３１        内径部
３２        端面
３３        周側面
３４        スリット
３５        回転規制部（ロック手段）
３６        操作部
４          架空配電線
５          絶縁ヤットコ
【図１】
2018085816.tif 000003
【図２】
2018085816.tif 000004
【図３】
2018085816.tif 000005
【図４】
2018085816.tif 000006
【図５】
2018085816.tif 000007
【図６】
2018085816.tif 000008
【図７】
2018085816.tif 000009
【図８】
2018085816.tif 000010
【図９】
2018085816.tif 000011
【図１０】
2018085816.tif 000012
【図１１】
2018085816.tif 000013
【図１２】
2018085816.tif 000014